(57)【要約】【課題】簡単な構成で自走玩具の停止および発車の動作切り換えを行うことができる走行玩具用軌道および走行玩具セットを提供すること。【解決手段】本発明は、駆動車輪を有する自走玩具の走行路を構成するための走行玩具用軌道であって、自走玩具の走行路面である軌道部と、軌道部の両側面に設けられたガイド壁と、を備える。この走行玩具用軌道において、軌道部は、駆動車輪からの駆動力を受けて自走玩具を走行させる走行領域と、駆動車輪からの駆動力を逃がして駆動車輪を空転させる空転領域と、を有する。【選択図】図１
2018057496.tif 000002
【特許請求の範囲】
【請求項１】
駆動車輪を有する自走玩具の走行路を構成するための走行玩具用軌道であって、
前記自走玩具の走行路面である軌道部と、
前記軌道部の両側面に設けられたガイド壁と、
を備え、
前記軌道部は、
前記駆動車輪からの駆動力を受けて前記自走玩具を走行させる走行領域と、
前記駆動車輪からの駆動力を逃がして前記駆動車輪を空転させる空転領域と、を有することを特徴とする走行玩具用軌道。
【請求項２】
前記空転領域は、前記駆動車輪の幅よりも広く、前記駆動車輪の直径よりも長い孔または凹みを有する、請求項１記載の走行玩具用軌道。
【請求項３】
前記軌道部は、前記駆動車輪からの駆動力を前記走行領域よりも大きく前記自走玩具へ伝える伝達領域をさらに有する、請求項１または２に記載の走行玩具用軌道。
【請求項４】
前記空転領域に着脱自在に被せられるカバー部材をさらに備えた、請求項１〜３のいずれか１つに記載の走行玩具用軌道。
【請求項５】
前記空転領域の上に進退可能に設けられる可動板をさらに備えた、請求項１〜４のいずれか１つに記載の走行玩具用軌道。
【請求項６】
請求項１〜５のいずれか１つに記載の走行玩具用軌道を含む走行路と、駆動車輪を有する第１自走玩具と、駆動車輪を有する第２自走玩具と、を備えた走行玩具セットであって、
前記第１自走玩具の駆動車輪が前記空転領域で空転している状態で、前記第２自走玩具が前記第１自走玩具の後方から接近することによって前記第１自走玩具の駆動車輪が前記空転領域から脱出するよう構成されたことを特徴とする走行玩具セット。
【請求項７】
前記第１自走玩具の駆動車輪が前記空転領域から脱出した後、前記第２自走玩具の駆動輪が前記空転領域で空転するよう構成された、請求項６記載の走行玩具セット。
【請求項８】
前記第１自走玩具の駆動車輪の前記空転領域からの脱出は、前記第２自走玩具の前端部と前記第１自走玩具の後端部との接触または非接触による押圧によって行われる、請求項６または７に記載の走行玩具セット。
【請求項９】
前記第１自走玩具の駆動車輪の前記空転領域からの脱出は、前記第２自走玩具が前記第１自走玩具の後方の所定位置まで達したことで動作するリンクを介して行われる、請求項６または７に記載の走行玩具セット。
【発明の詳細な説明】
【技術分野】
【０００１】
本発明は、自走玩具の走行路を構成するための走行玩具用軌道および走行玩具セットに関するものである。
【背景技術】
【０００２】
駆動車輪を有する自走玩具は、予め設置された軌道に沿って走行する玩具である。軌道の組み合わせによって走行路の様々なレイアウトを構成することができ、好みの自走玩具を走らせる楽しさを得ることができる。
【０００３】
走行路を構成するための走行玩具用軌道には、単純な直線やカーブのほか、走行経路の切り換えや、自走玩具の走行および停止を切り換える機能を備えたものもある。特許文献１、２には、溝レールにストッパを設けておき、カムによってストッパの機能を解除するレール走行玩具の連係発車装置が開示される。この連係発車装置では、溝レールに後続の走行車両が進入すると、カムの回動によってストッパを退避して、ストッパで発進を阻止されていた先行の走行車両が発車するようになっている。
【０００４】
特許文献３には、走行路に載置台を設けておき、載置台を持ち上げることで充電式走行玩具の車輪を空転させて、その間に充電を行う走行玩具用充電装置が開示される。特許文献４には、軌道に昇降台を設置し、上昇させた昇降台に自走車両の車体が乗り上げることによって、駆動輪を軌道から離反させて、自走車両を停止させる軌道走行玩具が開示される。
【０００５】
また、特許文献５、６、７には、走行玩具の通過によって軌道の切り換えを行う切り換え装置が開示される。これらの切り換え装置では、先行の走行玩具の通過によってレバーや磁石でガイドの向きを変えて、後続の走行玩具の軌道を切り換えられるようになっている。
【先行技術文献】
【特許文献】
【０００６】
【特許文献１】特開２００７−１９００５１号公報
【特許文献２】特開２００５−０５２２１４号公報
【特許文献３】特開平０７−９６０８１号公報
【特許文献４】特開２００８−２００４４６号公報
【特許文献５】実用新案登録第３１９９９３２号公報
【特許文献６】実開昭５２−４３５９１号公報
【特許文献７】特開２００８−２００４５３号公報
【発明の概要】
【発明が解決しようとする課題】
【０００７】
軌道に沿って自走させる玩具では、軌道の組み合わせによって走行路を自在に造り上げることができ、設定したレイアウトを玩具が走行する様子を楽しむことができる。しかし、自走玩具の停止や発車を切り換えることができる機能を備えた走行玩具用軌道では、機構が複雑になると故障の原因になりやすい。また、複雑な機構によって走行玩具用軌道の製造工程が複雑になるとともにコストアップを招く。
【０００８】
本発明は、簡単な構成で自走玩具の停止および発車の動作切り換えを行うことができる走行玩具用軌道および走行玩具セットを提供することを目的とする。
【課題を解決するための手段】
【０００９】
上記課題を解決するため、本発明は、駆動車輪を有する自走玩具の走行路を構成するための走行玩具用軌道であって、自走玩具の走行路面である軌道部と、軌道部の両側面に設けられたガイド壁と、を備える。この走行玩具用軌道において、軌道部は、駆動車輪からの駆動力を受けて自走玩具を走行させる走行領域と、駆動車輪からの駆動力を逃がして駆動車輪を空転させる空転領域と、を有する。
【００１０】
このような構成によれば、軌道部上の自走玩具は、走行領域では駆動車輪からの駆動力によって前進し、空転領域では駆動車輪が空転して前進しないことになる。すなわち、軌道部に駆動車輪を空転させる空転領域を設けるだけで、軌道部上を走行する自走玩具を停止させることができる。
【００１１】
本発明の走行玩具用軌道において、空転領域は、駆動車輪の幅よりも広く、駆動車輪の直径よりも長い孔または凹みを有していてもよい。これにより、駆動車輪が孔または凹部に落ちることで空転して、自走玩具を停止させることができる。
【００１２】
本発明の走行玩具用軌道において、軌道部は、駆動車輪からの駆動力を走行領域よりも大きく自走玩具へ伝える伝達領域をさらに有していてもよい。これにより、空転領域で停止している先行の自走玩具を、伝達領域で前進しやすくなった後続の自走玩具で確実に押すことができる。
【００１３】
本発明の走行玩具用軌道において、空転領域に着脱自在に被せられるカバー部材をさらに備えていてもよい。これにより、空転領域を使用しない場合にはカバー部材を被せることで通常の走行を行わせることができる。
【００１４】
本発明の走行玩具用軌道において、空転領域の上に進退可能に設けられる可動板をさらに備えていてもよい。これにより、可動板の進退によって空転領域の使用と不使用とを切り換えることができる。
【００１５】
本発明は、上記の走行玩具用軌道を含む走行路と、駆動車輪を有する第１自走玩具と、駆動車輪を有する第２自走玩具と、を備えた走行玩具セットである。この走行玩具セットにおいて、第１自走玩具の駆動車輪が空転領域で空転している状態で、第２自走玩具が第１自走玩具の後方から接近することによって第１自走玩具の駆動車輪が空転領域から脱出するよう構成される。
【００１６】
このような構成によれば、走行路に設けられた上記の走行玩具用軌道を進む第１自走玩具は、空転領域において駆動車輪が空転して停止状態になる。この停止している第１自走玩具の後方から第２自走玩具が接近することを契機として第１自走玩具の駆動車輪が空転領域から脱出し、第１自走玩具は発車状態になる。
【００１７】
本発明の走行玩具セットにおいて、第１自走玩具の駆動車輪が空転領域から脱出した後、第２自走玩具の駆動車輪が空転領域で空転するよう構成されていてもよい。これにより、第１自走玩具の停止および発車と、第２自走玩具の停止および発車が交互に繰り返されることになる。
【００１８】
本発明の走行玩具セットにおいて、第１自走玩具の駆動車輪の空転領域からの脱出は、第２自走玩具の前端部と第１自走玩具の後端部との接触または非接触による押圧によって行われてもよい。また、本発明の走行玩具セットにおいて、第１自走玩具の駆動車輪の空転領域からの脱出は、第２自走玩具が第１自走玩具の後方の所定位置まで達したことで動作するリンクを介して行われてもよい。
【発明の効果】
【００１９】
本発明によれば、簡単な構成で自走玩具の停止および発車の動作切り換えを行うことができる走行玩具用軌道および走行玩具セットを提供することが可能になる。
【図面の簡単な説明】
【００２０】
【図１】（ａ）および（ｂ）は、本実施形態に係る走行玩具用軌道を例示する模式図である。
【図２】（ａ）〜（ｅ）は、本実施形態に係る軌道を用いた走行玩具の動作を例示する模式図断面図である。
【図３】（ａ）および（ｂ）は、伝達領域を例示する模式図である。
【図４】（ａ）〜（ｃ）は、他の空転領域について例示する模式斜視図である。
【図５】（ａ）および（ｂ）は、再発車機構（その１）を例示する模式断面図である。
【図６】（ａ）〜（ｄ）は、再発車機構（その２）を例示する模式図である。
【図７】本実施形態に係る走行玩具セットを例示する模式図である。
【図８】本実施形態に係る走行玩具セットを例示する模式図である。
【図９】本実施形態に係る走行玩具セットを例示する模式図である。
【図１０】本実施形態に係る走行玩具セットを例示する模式図である。
【発明を実施するための形態】
【００２１】
以下、本発明の実施形態を図面に基づいて説明する。なお、以下の説明では、同一の部材には同一の符号を付し、一度説明した部材については適宜その説明を省略する。
【００２２】
（走行玩具用軌道の構成）
図１（ａ）および（ｂ）は、本実施形態に係る走行玩具用軌道を例示する模式図である。
図１（ａ）には走行玩具用軌道１の斜視図が示され、図１（ｂ）には走行玩具用軌道１の平面図が示される。なお、本実施形態では、走行玩具用軌道１を単に軌道１とも呼ぶことにする。また、本実施形態において個々の自走玩具を区別しないときは自走玩具Ｔと示し、個々の自走玩具Ｔを区別するときは自走玩具Ｔ１、Ｔ２、…のように数字を付して示すことにする。
【００２３】
本実施形態に係る軌道１は、駆動車輪ＤＷを有する自走玩具Ｔの走行路を構成するための部材である。軌道１には、直線、カーブ、切り換えポイント付き、勾配付きなど、各種の形状がある。複数本の軌道１を連結することで所望の走行路が構成される。
【００２４】
自走玩具Ｔは、ボディーＢと、駆動車輪ＤＷとを有しており、車輪の数やボディーＢの形状（自動車、電車、飛行機、キャラクター、人形など）は問わない。本実施形態では、車体型のボディーＢと、駆動車輪ＤＷと、従動車輪ＦＷとを備えた自走玩具Ｔを例とする。駆動車輪ＤＷは、図示しないモータによって駆動する。モータを動作させることで駆動車輪ＤＷが回転して自走玩具Ｔを走行させる。
【００２５】
本実施形態に係る軌道１は、自走玩具Ｔの走行路面である軌道部１０と、軌道部１０の両側面に設けられたガイド壁２０とを備える。軌道部１０は、自走玩具Ｔの幅よりも僅かに広い幅員を備えており、軌道部１０の上に自走玩具Ｔを載せて走らせることができる。
【００２６】
ガイド壁２０は、軌道部１０の両側面から立ち上がるように設けられる。自走玩具Ｔは、左右のガイド壁２０の間で軌道部１０から脱落しないようにガイド壁２０に沿って走行していく。
【００２７】
軌道部１０のガイド壁２０とは反対側（裏面側）には脚部２５が設けられる。軌道１をテーブルや床、基材などの上に載置した際、脚部２５によって軌道部１０の高さが設定される。脚部２５の高さに応じて軌道部１０は浮いた状態で配置され、軌道部１０の下側に隙間が設けられる。
【００２８】
このような軌道１において、軌道部１０は、走行領域１１と、空転領域１２とを有する。走行領域１１は、自走玩具Ｔの駆動車輪ＤＷから駆動力を受けて自走玩具Ｔを走行させる領域である。例えば、走行領域１１は、軌道部１０のうちの平坦な面の部分である。駆動車輪ＤＷからの駆動力を効率良く受けるため、走行領域１１には多少の凹凸が設けられていてもよい。駆動車輪ＤＷが走行領域１１の上にあるときは、自走玩具Ｔは軌道部１０の上をガイド壁２０に沿って走行していくことになる。
【００２９】
空転領域１２は、自走玩具Ｔの駆動車輪ＤＷからの駆動力を逃がして駆動車輪ＤＷを空転させる領域である。例えば、空転領域１２は、孔または凹みによって構成される。孔または凹みの幅は駆動車輪ＤＷの幅よりも広く、長さは駆動車輪ＤＷの直径よりも長い。空転領域１２である孔または凹みに駆動車輪ＤＷが落ちることで空転し、自走玩具Ｔを走行させないようにすることができる。
【００３０】
すなわち、本実施形態に係る軌道１を用いて自走玩具Ｔを走らせた場合、駆動車輪ＤＷが走行領域１１の上にあるときは進行方向に進み、駆動車輪ＤＷが空転領域１２に到達すると空転して進まないことになる。つまり、走行してきた自走玩具Ｔが空転領域１２に到達すると駆動車輪ＤＷは回転しているものの空転して進まず、停止したように見える状態となる。
【００３１】
図２（ａ）〜（ｅ）は、本実施形態に係る軌道を用いた走行玩具の動作を例示する模式図断面図である。
先ず、図２（ａ）に示すように、軌道１の走行領域１１上では自走玩具Ｔ１は駆動車輪ＤＷの駆動力によって進行方向に進んでいく。次に、図２（ｂ）に示すように、自走玩具Ｔ１の駆動車輪ＤＷが空転領域１２に到達して孔または凹みに落ちると駆動車輪ＤＷは空転し、駆動力が逃げて自走玩具Ｔ１は停止する状態になる。
【００３２】
次に、図２（ｃ）に示すように、後続の自走玩具Ｔ２が走行領域１１上を自走してくる。そして、図２（ｄ）に示すように、後続の自走玩具Ｔ２の接近または接触することによって、先行の自走玩具Ｔ１の駆動車輪ＤＷが空転領域１２から脱出することになる。これにより、先行の自走玩具Ｔ１の駆動車輪ＤＷは空転領域１２の前方の走行領域１１の上に乗って、再び進行方向へ進み始める。
【００３３】
例えば、後続の自走玩具Ｔ２のボディーＢの先端Ｂｔが、先行の自走玩具Ｔ１のボディーＢの後端Ｂｒに接触して先行の自走玩具Ｔ１を押し出すようにしてもよいし、ボディーＢの先端Ｂｔおよび後端Ｂｒにそれぞれ磁石を付けておき、磁石の反発を利用して非接触で先行の自走玩具Ｔ１を押し出すようにしてもよい。
【００３４】
図２（ｅ）に示すように、先行の自走玩具Ｔ１が再出発した後は、後続の自走玩具Ｔ２の駆動車輪ＤＷが空転領域１２に到達して孔または凹みに落ちる。これにより、今度は後続の自走玩具Ｔ２の駆動車輪ＤＷが空転して、後続の自走玩具Ｔ２を停止させることができる。
【００３５】
後続の自走玩具Ｔ２は、さらに後続の自走玩具Ｔの接近または接触することによって空転領域１２から脱出し、再び進行方向へ進み始める。複数の軌道１の組み合わせによって周回する走行路が構成され、自走玩具Ｔ１およびＴ２を走行させている場合、自走玩具Ｔ１および自走玩具Ｔ２の先後が順に入れ替わり、一方の停止と他方の走行とが繰り返し行われることになる。なお、図２では２台の自走玩具Ｔ１、Ｔ２を示しているが、３台以上の走行玩具を同じ周回の走行路上で走らせても同様である。
【００３６】
なお、空転領域１２の長さを変えると、後続の自走玩具Ｔ２の接近または接触によって先行の自走玩具Ｔ１の空転領域１２からの脱出時間が変化する。例えば、空転領域１２が長いほど脱出時間が長くなり、短いほど脱出時間が短くなる。これにより、自走玩具Ｔ１、Ｔ２の停止、再発車のタイミングを変更することができる。
【００３７】
（伝達領域）
図３（ａ）および（ｂ）は、伝達領域を例示する模式図である。
図３（ａ）には軌道１の斜視図が示され、図３（ｂ）には軌道１の平面図が示される。
伝達領域１３は、軌道部１０に一部に設けられる。伝達領域１３は、自走玩具Ｔの駆動車輪ＤＷからの駆動力を、走行領域１１よりも大きく自走玩具Ｔへ伝えることができる領域である。例えば、伝達領域１３は、走行領域１１よりも大きな凹凸（進行方向と直交する方向に延びる溝や突起）を有する。伝達領域１３は、走行領域１１よりも摩擦係数の大きい領域である。
【００３８】
伝達領域１３は、軌道部１０において空転領域１２よりも進行方向の後ろ側に設けられることが好ましい。具体的には、先行の自走玩具Ｔ１の駆動車輪ＤＷが空転領域１２で空転している状態で、後続の自走玩具Ｔ２が追いついた際に、後続の自走玩具Ｔ２の駆動車輪ＤＷが接する位置に伝達領域１３を設けておく。これにより、空転領域１２で停止している先行の自走玩具Ｔ１を後続の自走玩具Ｔ２が押す際に、後続の自走玩具Ｔ２の駆動車輪ＤＷが伝達領域１３の上になってスリップしにくくなり、先行の自走玩具Ｔ１を確実に押し出すことができるようになる。
【００３９】
（他の空転領域）
図４（ａ）〜（ｃ）は、他の空転領域について例示する模式斜視図である。
図４（ａ）に示す空転領域１２は、走行領域１１の摩擦係数よりも小さい摩擦係数を有する材料によって形成されている。例えば、走行領域１１はプラスチックによって形成され、空転領域１２はフッ素樹脂によって形成されている。空転領域１２にはフッ素樹脂のコーティングを施してもよい。空転領域１２は孔や凹みでなくても、駆動車輪ＤＷが空転できる領域であればよい。図４（ａ）に示す空転領域１２は、走行領域１１と略同一面上に形成されるため、自走玩具Ｔが空転領域１２に到達した際にボディーＢが傾斜することを抑制できる。
【００４０】
また、空転領域１２の摩擦係数の設定や、空転領域１２の表面の状態（温度、湿気、表面のダストの付着具合など）によって摩擦係数が変化することで、自走玩具Ｔの駆動車輪ＤＷの空転の状態が変化することになる。例えば、完全に空転して停止状態になったり、空転しながら少しずつ進む状態になったりする。空転しながら少しずつ進む状態では、後続の自走玩具Ｔの接近または接触によらずにやがて自ら空転領域１２から脱出して再出発できることになる。空転領域１２の表面の状態の変化によって駆動車輪ＤＷの空転の状態が変わることから、自走玩具Ｔのランダムな速度変化を楽しむこともできる。
【００４１】
図４（ｂ）に示す空転領域１２には、着脱自在にカバー部材１２１が設けられる。空転領域１２は孔または凹みによって構成される。カバー部材１２１は、この空転領域１２の上に着脱自在に被せられるようになっている。これにより、カバー部材１２１を外しておくことで空転領域１２を機能させることができる。空転領域１２を使用しない場合にはカバー部材１２１を被せることで通常の走行を行わせることができる。
【００４２】
また、カバー部材１２１の表面の摩擦係数によって駆動車輪ＤＷの空転の状態を変えることができる。すなわち、カバー部材１２１として表面の摩擦係数の異なるものを複数用意しておき、好みに応じた摩擦係数のカバー部材１２１を選択して被せることで、自走玩具Ｔの速度変化を楽しむことができる。
【００４３】
図４（ｃ）に示す空転領域１２には、進退可能な可動板１２２が設けられる。空転領域１２は、孔、凹みおよび図４（ａ）に示す低摩擦係数の材料によって構成される。可動板１２２は、空転領域１２の上に進退可能に設けられている。例えば、空転領域１２の延びる方向に可動板１２２を進退可能に設けておく。これにより、可動板１２２を退けておくことで空転領域１２を露出させて、空転領域１２を機能させることができる。空転領域１２を使用しない場合には可動板１２２を延ばして空転領域１２の上を覆うことで、通常の走行を行わせることができる。
【００４４】
また、可動板１２２を延ばす量によって空転領域１２として機能させる長さを自由に設定することができる。これにより、空転領域１２の実効的な長さを変えることができ、自走玩具Ｔの停止、再発車のタイミングを変更することができる。
【００４５】
（再発車機構）
次に、自走玩具Ｔの再発車機構の例について説明する。
図５（ａ）および（ｂ）は、再発車機構（その１）を例示する模式断面図である。
軌道１における空転領域１２には上下動可能なプレート１２３が設けられる。プレート１２３はリンク１２５の一端に設けられる。リンク１２５の他端には踏み台１２７が設けられる。リンク１２５は軸１２６を中心として回動する。
【００４６】
通常の状態ではプレート１２３が下に位置し、空転領域１２に凹みを形成している。なお、プレート１２３はバネ等の付勢手段による力や、自重によって通常は下に位置している。踏み台１２７は軌道部１０の走行路面よりも僅かに上に位置している。踏み台１２７を押すことで、リンク１２５を介してプレート１２３が押し上げられる。
【００４７】
図５（ａ）に示すように、プレート１２３が下に位置している状態で自走玩具Ｔ１を走行させると、自走玩具Ｔ１が空転領域１２に到達することで駆動車輪ＤＷが空転領域１２の凹みに落ちる。これにより駆動車輪ＤＷが空転し、自走玩具Ｔ１は停止することになる。その後、後続の自走玩具Ｔ２が軌道１の軌道部１０上を自走してくる。
【００４８】
そして、図５（ｂ）に示すように、後続の自走玩具Ｔ２が踏み台１２７の上に乗ると、自重によって踏み台１２７が押し下げられる。これによりリンク１２５を介してプレート１２３が押し上げられる。プレート１２３の押し上げによって先行の自走玩具Ｔ１の駆動車輪ＤＷが空転領域１２から脱出し、前方の走行領域１１に乗って再び進行方向へ進み始める。
【００４９】
後続の自走玩具Ｔ２が踏み台１２７の上に通過すると、踏み台１２７は元の位置に戻る。これによりプレート１２３が下がる。プレート１２３は後続の自走玩具Ｔ２が空転領域１２に到達する前に下がっている。したがって、後続の自走玩具Ｔ２が空転領域１２に到達した際には駆動車輪ＤＷが空転領域１２の孔に落ちて空転し、自走玩具Ｔ２は停止することになる。
【００５０】
走行路が周回していることで今度は自走玩具Ｔ１が自走玩具Ｔ２の後続となり、自走玩具Ｔ１が踏み台１２７を押し下げて、自走玩具Ｔ２を再発車させる。この動作の繰り返しによって、自走玩具Ｔ１およびＴ２の先後が順に入れ替わり、自走玩具Ｔ１およびＴ２の停止、再出発が順に行われることになる。
【００５１】
図６（ａ）〜（ｄ）は、再発車機構（その２）を例示する模式図である。
図６（ａ）および（ｃ）は平面図、図６（ｂ）および（ｃ）は断面図である。
軌道１における空転領域１２には、進退可能にスライドカバー１２８が設けられる。スライドカバー１２８は空転領域１２の前方で、軌道部１０の裏側に配置される。空転領域１２のスライドカバー１２８はバネ１２９によって引っ張られており、通常の状態では空転領域１２には被せられていない。
【００５２】
スライドカバー１２８はリンク１５５の一端に設けられる。リンク１５５の他端にはスライドプレート１５１が設けられる。スライドプレート１５１の上方における軌道部１０には開口１５が設けられる。
【００５３】
図６（ａ）および（ｂ）に示すように、スライドカバー１２８が退いている状態で自走玩具Ｔ１を走行させると、自走玩具Ｔ１が空転領域１２に到達することで駆動車輪ＤＷが空転領域１２の孔に落ちる。これにより駆動車輪ＤＷが空転し、自走玩具Ｔ１は停止することになる。その後、後続の自走玩具Ｔ２が軌道１の軌道部１０上を自走してくる。
【００５４】
そして、図６（ｃ）および（ｄ）に示すように、後続の自走玩具Ｔ２が軌道部１０の開口１５の上に到達すると、開口１５から露出するスライドプレート１５１を進行方向とは反対側に移動させる。すなわち。自走玩具Ｔ２の駆動車輪ＤＷの駆動力によってスライドプレート１５１が進行方向とは反対側にずらされる。これにより、リンク１５５を介してスライドカバー１２８が空転領域１２側に引き出される。
【００５５】
スライドカバー１２８が空転領域１２側に引き出されると、やがて自走玩具Ｔ１の駆動車輪ＤＷがスライドカバー１２８の上に引っ掛かり、駆動車輪ＤＷの駆動力によってスライドカバー１２８がさらに引き出される。スライドカバー１２８の引き出しとともに駆動車輪ＤＷがスライドカバー１２８の上に乗り上げる。そして、自走玩具Ｔ１はスライドカバー１２８の上を進んで行き、やがて駆動車輪ＤＷが空転領域１２から脱出する。自走玩具Ｔ１は、空転領域１２の前方の走行領域１１の上に乗って再び進行方向へ進み始める。
【００５６】
後続の自走玩具Ｔ２が開口１５の部分を通過すると、スライドカバー１２８はバネ１２９の付勢力によって再び退くことになる。後続の自走玩具Ｔ２が空転領域１２に到達した際には駆動車輪ＤＷが空転領域１２の孔に落ちて空転し、自走玩具Ｔ２は停止することになる。
【００５７】
走行路が周回していることで今度は自走玩具Ｔ１が自走玩具Ｔ２の後続となり、自走玩具Ｔ１がスライドプレート１５１を移動させて自走玩具Ｔ２を再発車させる。この動作の繰り返しによって、自走玩具Ｔ１およびＴ２の先後が順に入れ替わり、自走玩具Ｔ１およびＴ２の停止、再出発が順に行われることになる。
【００５８】
なお、図５および図６では２台の自走玩具Ｔ１、Ｔ２を示しているが、３台以上の走行玩具を同じ周回の走行路上で走らせても同様である。
【００５９】
（走行玩具セットの構成）
次に、本実施形態に係る走行玩具セットについて説明する。
図７〜図１０は、本実施形態に係る走行玩具セットを例示する模式図である。
本実施形態に係る走行玩具セット１００は、先に説明した軌道１を含む走行路と、駆動車輪ＤＷを有する複数の自走玩具Ｔとを備える。説明の便宜上、本実施形態では３台の自走玩具Ｔ１〜Ｔ３を備える例を説明する。
【００６０】
走行路は、直線やカーブ、切り換えポイント付きなどの各種の軌道を組み合わせて周回状に構成されている。例えば、図示する走行路は左周り用として構成され、切り換えポイント付きの軌道１Ｂの後段に並列で２本の直線の軌道１Ａが接続されている。並列の２本の直線の軌道１Ａの後段には合流の軌道１Ｃが接続され、その後にカーブの軌道１Ｄ、直列で２本の直線の軌道１Ｅ、カーブの軌道１Ｆが順に接続される。カーブの軌道１Ｆの後段には切り換えポイント付きの軌道１Ｂが接続され、これによって周回状の走行路が構成される。このうち、並列の２本の直線の軌道１Ａとして、先に説明したいずれかの実施形態の軌道１が用いられる。したがって、軌道１Ａには空転領域１２が設けられている。
【００６１】
この走行路では、３台の自走玩具Ｔ１〜Ｔ３が走行する。３台の自走玩具Ｔ１〜Ｔ３は、すべて同じ周回方向（例えば、左周り）で走行するようになっている。この３台の自走玩具Ｔ１〜Ｔ３を走行路で自走させることで、３台の自走玩具Ｔ１〜Ｔ３のそれぞれが走行、停止、再発車を順に繰り返す動作を楽しむことができる。
【００６２】
例えば、図７に示すように、自走玩具Ｔ１が切り換えポイント付きの軌道１Ｂに到達し、ポイントＰによって第１レーンＬ１の軌道１Ａに進むとする。自走玩具Ｔ１がポイントＰを通過すると、ポイントＰは自動的に反対側のレーン（この場合には第２レーンＬ２側）へ進む方向に切り換えられる。第１レーンＬ１の軌道１Ａに進んだ自走玩具Ｔ１は、軌道１Ａに設けられた空転領域１２まで到達すると駆動車輪ＤＷの空転によって進まない状態（停止状態）になる。
【００６３】
次に、図８に示すように、後続の自走玩具Ｔ２が切り換えポイント付きの軌道１Ｂに到達すると、第２レーンＬ２の軌道１Ａに進む。なお、自走玩具Ｔ２がポイントＰを通過すると、ポイントＰは自動的に反対側のレーン（この場合には第１レーンＬ１側）へ進む方向に切り換えられる。第２レーンＬ２の軌道１Ａに進んだ自走玩具Ｔ２は、軌道１Ａに設けられた空転領域１２まで到達すると駆動車輪ＤＷの空転によって停止状態になる。この状態では、並列の２本の軌道１Ａに自走玩具Ｔ１およびＴ２のそれぞれが停止していることになる。
【００６４】
次に、図９に示すように、後続の自走玩具Ｔ３が切り換えポイント付きの軌道１Ｂに到達すると、第１レーンＬ１の軌道１Ａに進む。なお、自走玩具Ｔ３がポイントＰを通過すると、ポイントＰは自動的に反対側のレーン（この場合には第２レーンＬ２側）へ進む方向に切り換えられる。第１レーンＬ１の軌道１Ａに進んだ自走玩具Ｔ３は、空転領域１２で停止している先行の自走玩具Ｔ１に接近または接触して、自走玩具Ｔ１を空転領域１２から脱出させる。これによって停止していた自走玩具Ｔ１は空転領域１２から脱出して再出発し、合流の軌道１Ｃからカーブの軌道１Ｄへと進んでいく。
【００６５】
また、自走玩具Ｔ１を再出発させた自走玩具Ｔ３は、第１レーンＬ１の軌道１Ａの空転領域１２まで到達すると駆動車輪ＤＷの空転によって停止状態になる。この状態では、並列の２本の軌道１Ａに自走玩具Ｔ３およびＴ２のそれぞれが停止していることになる。
【００６６】
次に、図１０に示すように、走行路を周回してきて後続となった自走玩具Ｔ１が切り換えポイント付きの軌道１Ｂに到達すると、第２レーンＬ２の軌道１Ａに進む。なお、自走玩具Ｔ２がポイントＰを通過すると、ポイントＰは自動的に反対側のレーン（この場合には第１レーンＬ１側）へ進む方向に切り換えられる。第２レーンＬ２の軌道１Ａに進んだ自走玩具Ｔ１は、空転領域１２で停止している先行の自走玩具Ｔ２に接近または接触して、自走玩具Ｔ２を空転領域１２から脱出させる。これによって停止していた自走玩具Ｔ２は空転領域１２から脱出して再出発し、合流の軌道１Ｃからカーブの軌道１Ｄへと進んでいく。
【００６７】
また、自走玩具Ｔ２を再出発させた自走玩具Ｔ１は、第２レーンＬ２の軌道１Ａの空転領域１２まで到達すると駆動車輪ＤＷの空転によって停止状態になる。この状態では、並列の２本の軌道１Ａに自走玩具Ｔ１およびＴ３のそれぞれが停止していることになる。そして、走行路を周回してきて後続となった自走玩具Ｔ２が第１レーンＬ１の軌道１Ａに進み、自走玩具Ｔ３を空転領域１２から脱出させる。
【００６８】
つまり、この走行路では、並列の２本の軌道１Ａのそれぞれに自走玩具Ｔが停止しており、走行している自走玩具Ｔが後続としていずれか一方を再発車させた後、自らは停止する。そして、再発車した自走玩具Ｔが再び周回してきて後続となり、停車しているいずれか一方を再発車させる。このような動作を繰り返すことで、３台の自走玩具Ｔ１〜Ｔ３のそれぞれが、走行、停止、再発車を繰り返す動きが実現される。また、ポイントＰの自動切り替えによって第１レーンＬ１および第２レーンＬ２の切り換えも交互に行われるため、いずれかの自走玩具Ｔが停車し続けることはない。
【００６９】
本実施形態のような並列の２本の軌道１Ａの選択がポイントＰによって自動的に切り替わる走行路では、電車であればホームへの入線、停止、再発車、自動車であれば停止レーンへの進入、停止、再発車のような動きになり、単純な自走玩具Ｔであっても見ていて飽きない動きを楽しむことができるようになる。
【００７０】
また、図７〜図１０に示す走行路は一例であり、複数の軌道を複雑に組み合わせたり、空転領域１２による停止時間に変化を持たせたりすることで、複数の自走玩具Ｔがそれぞれ複雑に停止、再発車を繰り返し、走行路全体として自走玩具Ｔがランダムに動き回るような動作になる。軌道１のレイアウトや空転領域１２による停止時間の設定、選択によって予想外の動作を楽しむこともできるようになる。
【００７１】
以上説明したように、実施形態によれば、簡単な構成で自走玩具Ｔの停止および発車の動作切り換えを行うことができる走行玩具用軌道１および走行玩具セット１００を提供することが可能になる。
【００７２】
なお、上記に本実施形態およびその適用例を説明したが、本発明はこれらの例に限定されるものではない。例えば、前述の各実施形態またはその適用例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００７３】
１…走行玩具用軌道
１０…軌道部
１１…走行領域
１２…空転領域
１３…伝達領域
１５…開口
２０…ガイド壁
２５…脚部
１００…走行玩具セット
１２１…カバー部材
１２２…可動板
１２３…プレート
１２５…リンク
１２６…軸
１２７…踏み台
１２８…スライドカバー
１２９…バネ
１５１…スライドプレート
１５５…リンク
Ｂ…ボディー
Ｂｒ…後端
Ｂｔ…先端
ＤＷ…駆動車輪
ＦＷ…従動車輪
Ｐ…ポイント
Ｔ，Ｔ１，Ｔ２，Ｔ３…自走玩具
【図１】
2018057496.tif 000003
【図２】
2018057496.tif 000004
【図３】
2018057496.tif 000005
【図４】
2018057496.tif 000006
【図５】
2018057496.tif 000007
【図６】
2018057496.tif 000008
【図７】
2018057496.tif 000009
【図８】
2018057496.tif 000010
【図９】
2018057496.tif 000011
【図１０】
2018057496.tif 000012